(57)【要約】      （修正有）【課題】製作から設置に至るまでに要する手間と時間と費用を大幅に軽減できる雨量計設置台を提供する。【解決手段】所定量の水又は砂を充填するタンクからなる雨量計設置台本体２の上部中央から連結用Ｕボルト６を立ち上がらせる。連結用Ｕボルト６の上端部にナット７で支持基板８を固定し、支持基板８を水平に保持する。支持基板８に、雨量計の支持脚に連結する連結ボルト９を、その頭部を下にして垂直に固定する。連結ボルト９に、雨量計の支持脚を上下から挟んで連結する上ナット１１と下ナット１２を螺合する。雨量計設置台本体２の上面と支持基板８の下面との間における、雨量計の支持脚に連結する連結ボルト９の位置に、連結ボルト９の頭部が載る所定の厚みを有する弾性板１３を配設する。【選択図】図２
0003204621.tif 000002
【実用新案登録請求の範囲】
【請求項１】
所定量の水又は砂を充填するタンクからなる雨量計設置台本体と、該雨量計設置台本体の上部中央から立ち上がる連結ボルトと該連結ボルトに螺合したナットとをもって該雨量計設置台本体の上部に水平に保持される支持基板と、該支持基板に頭部を下にして垂直に固定される、雨量計の支持脚に連結する連結ボルトと、該連結ボルトの上端部に螺合される上ナット及び下ナットとからなることを特徴とする雨量計設置台。
【請求項２】
前記タンクがポリタンクである請求項１記載の雨量計設置台。
【請求項３】
前記雨量計設置台本体の上部中央から立ち上がる連結ボルトがＵボルトである請求項１又は２記載の雨量計設置台。
【請求項４】
前記雨量計設置台本体の上面と前記支持基板の下面との間における、前記雨量計の支持脚に連結する連結ボルトの位置に、該連結ボルトの頭部が載る所定の厚みを有する弾性板を配設してなる請求項１、２又は３記載の雨量計設置台。
【考案の詳細な説明】
【技術分野】
【０００１】  本考案は雨量計設置台に関し、更に詳細には、製作から設置に至るまでに要する手間と時間と費用を従来に比して大幅に軽減することができるようになした雨量計設置台に係わる。
【背景技術】
【０００２】  雨量計、例えば、所定量の雨水が溜まると左右に交互に転倒する転倒升の転倒回数に基づいて雨量を計測する転倒升式の雨量計において、該雨量計を地面に設置するときにおいては、図６に示す如きコンクリート製の設置台を用いていた。尚、該図６において１００は雨量計、１０１は雨量計設置台を示す。【０００３】  そして、該雨量計設置台１０１は、次の如くにして製作されている。
施工順序として、先ず地面１０２に所要の大きさ及び深さの穴１０３を掘削し、次に該穴１０３の底に割栗石１０４を敷き詰め、次に型枠（図示せず。）を組み、次にこの型枠内に生コンクリートを流し込み、そしてその後該生コンクリートの自然な硬化を待って、最後にアンカーボルト１０５の埋め込み作業を行うものである。【０００４】  そして、このようにして完成したコンクリート製の雨量計設置台１０１の上に、雨量計１００を、その支持脚１００Ａをアンカーボルト１０５に連結して設置するものである。尚、具体的には、雨量計設置台１０１の上面に垂直に植立したアンカーボルト１０５の上端部を、予め下ナット１０７を螺合した状態において、雨量計１００の支持脚１００Ａにおける直角に折曲した水平部のボルト挿通孔（図示せず。）に挿通し、水準器（図示せず。）によって水平を測りながら各下ナット１０７の位置を調整し、最後に上ナット１０６をアンカーボルト１０５に螺合し、これら上ナット１０６と下ナット１０７で締め付け固定するものである。【０００５】  上記の如く、従来のコンクリート製の雨量計設置台１０１は、その制作から設置に至るまでにおいて多大な手間と時間と費用（材料費、手間賃）を要するものであった。また、コンクリート製であるため堅固で且つ重いから、撤去して廃棄するには専門業者に依頼しなければならず、その分の費用が必要であった。更にまた、地面に埋め込まれた状態であるから、設置場所の周囲の状況変化があったときにおいて、雨量計を他の場所に容易に移動させることもできなかった。
【考案の概要】
【考案が解決しようとする課題】
【０００６】  本考案は上記の点に鑑みなされたものであって、所定量の水又は砂を充填するタンクをもって雨量計設置台本体とし、該雨量計設置台本体上に垂直に立ち上がる、雨量計の支持脚に連結するための連結ボルトを、少ない部品による簡素な構成によって保持し、もって、従来の如き、穴の掘削や割栗石の敷き詰め、型枠を組んだ後での生コンクリートの流し込み、更にはその後のアンカーボルトの埋め込み作業等に伴う製作から設置に至るまでに要する多大な手間と時間と費用を大幅に軽減することができると共に、撤去して廃棄するときには専門業者に依頼することなく自分だけで行うことができ、加えて地面に置くだけで済むことにより、容易に移動可能であり、設置場所の周囲の状況変化に対応して常に雨量計を最適な場所に設置することができるようになした雨量計設置台を提供しようとするものである。
【課題を解決するための手段】
【０００７】  而して、本考案の要旨とするところは、所定量の水又は砂を充填するタンクからなる雨量計設置台本体と、該雨量計設置台本体の上部中央から立ち上がる連結ボルトと該連結ボルトに螺合したナットとをもって該雨量計設置台本体の上部に水平に保持される支持基板と、該支持基板に頭部を下にして垂直に固定される、雨量計の支持脚に連結する連結ボルトと、該連結ボルトの上端部に螺合される上ナット及び下ナットとからなることを特徴とする雨量計設置台にある。【０００８】  また、上記構成において、タンクとしてはポリタンクを用いることが好ましい。【０００９】  また、上記構成において、雨量計設置台本体の上部中央から立ち上がる連結ボルトとしては、Ｕボルトであることが好ましい。【００１０】  また、上記構成において、雨量計設置台本体の上面と支持基板の下面との間における、雨量計の支持脚に連結する連結ボルトの位置に、該連結ボルトの頭部が載る所定の厚みを有する弾性板を配設することが好ましい。
【考案の効果】
【００１１】  本考案は上記の如き構成であり、所定量の水又は砂を充填するタンクをもって雨量計設置台本体とし、該雨量計設置台本体上に垂直に立ち上がる、雨量計の支持脚に連結するための連結ボルトを、少ない部品による簡素な構成によって保持したものであるから、従来の如き、穴の掘削や割栗石の敷き詰め、型枠を組んだ後での生コンクリートの流し込み、更にはその後のアンカーボルトの埋め込み作業等に伴う製作から設置に至るまでに要する多大な手間と時間と費用を大幅に軽減することができるものである。また、撤去して廃棄するときには専門業者に依頼することなく自分だけで行うことができ、加えて地面に置くだけで済むことにより、容易に移動可能であり、設置場所の周囲の状況変化に対応して常に雨量計を最適な場所に設置することができるようになるものである。【００１２】  また、タンクとしてポリタンクを用いる場合には、軽量であるから、設置するまでの不使用時において保管や運搬に便利である。【００１３】  また、雨量計設置台本体の上部中央から立ち上がる連結ボルトとしてＵボルトを用いる場合には、該Ｕボルトを雨量計設置台本体の上部中央から立ち上がらせるときに、雨量計設置台本体の中央部に設けた上下の面に貫通する二つの穴に下側から挿通し、Ｕ字形の基部をこれら二つの穴に挟まれた間の部分に掛ければよく、そして、その両方の上端部を支持基板の中央のボルト挿通孔に挿通して、該支持基板の上面からナットをもって締め付けると、該支持基板は中央の２か所によって固定されるから、その保持状態が安定するものである。【００１４】  また、雨量計設置台本体の上面と支持基板の下面との間における、雨量計の支持脚に連結する連結ボルトの位置に、該連結ボルトの頭部が載る所定の厚みを有する弾性板を配設する場合には、雨量計を連結して所定の場所に設置したときにおいて、風圧や地震等によって雨量計が横揺れしたときに、雨量計の支持脚に連結する連結ボルトの頭部が雨量計設置台本体の上面に強く擦れて該雨量計設置台本体が破損することを防ぐことができるものである。且つまた、Ｕボルト及びこれに螺合するナットを用いて雨量計設置台本体の上部に支持基板を水平に保持するときにおいて、該支持基板に既に固定してある雨量計の支持脚に連結する、所定の間隔をとって開いた３本の連結ボルトの頭部が該弾性板に載っているから、支持基板が水平に安定し、Ｕボルトの挿通やナットの締め付け作業をスムーズに行うことができるものである。
【図面の簡単な説明】
【００１５】
【図１】本考案の実施形態に係る雨量計設置台の使用状態の斜視図である。
【図２】同正面図である。
【図３】同一部断面で示した要部の部分拡大図である。
【図４】同雨量計連結前の状態の平面図である。
【図５】同雨量計設置台における雨量計設置台本体の平面図である。
【図６】従来のコンクリート製の雨量計設置台の説明図である。
【考案を実施するための形態】
【００１６】    以下、本考案を実施するための形態について、図面を参照して説明する。
【００１７】  図中、１は雨量計設置台である。また、２は該雨量計設置台１を構成する、タンクからなる雨量計設置台本体であり、所定量の水又は砂を充填するものである。尚、本実施形態においては、充填するものが水である場合には１２ｋｇ、砂である場合には２２ｋｇになる程度の容量のものを用いている。また、タンクとしてポリタンクを用いている。また、該雨量計設置台本体２を構成するタンクは、充填口３と、把手部４と、中央部に上下の面に貫通する二つの穴５、５を設け、そして、これら二つの穴５、５の夫々に下側から後記連結用Ｕボルトを挿通し、該連結用ＵボルトのＵ字形の基部をこれら二つの穴５、５に挟まれた間の部分２Ａに掛けるようになしている。
【００１８】  ６は前記雨量計設置台本体２を構成するタンクの二つの穴５、５に挿通し、雄ねじを刻設した両端部を上方に突出せしめた連結用Ｕボルトであり、両端部を後記支持基板の連結ボルト挿通孔に挿通し、該支持基板の上面側から雄ねじに夫々ナット７、７を螺合して締め付けるものである。
【００１９】  ８は前記連結用Ｕボルト６及びナット７をもって前記雨量計設置台本体２の上部に水平に保持される支持基板である。また、該支持基板８は、本実施形態においては台形をなし、また、ステンレスの板を用いている。また、該支持基板８は、その中央部に前記連結用Ｕポルト６の挿通孔８Ａを穿設すると共に、周縁近傍の三か所に、後記雨量計の支持脚に連結する連結ボルトの挿通孔８Ｂを穿設している。
【００２０】  ９は前記支持基板８に頭部を下にして垂直に固定される、雨量計の支持脚に連結する連結ボルトである。また、該連結ボルト９は、前記支持基板８の連結ボルト挿通孔８Ｂの夫々に頭部を下にして挿通し、該支持基板８の上面側からナット１０を螺合して締め付けるものである。
【００２１】  １１は前記連結ボルト９の夫々に螺合する上ナット、１２は前記連結ボルト９の夫々に螺合する下ナットであり、雨量計の支持脚に穿設した連結ボルト挿通孔に、予め下ナット１２を螺合した前記連結ボルト９の上端部を挿通し、水準器（図示せず。）をもって水平を測りながら各下ナット１２の位置を決め、その後上ナット１１を螺合して雨量計の支持脚の上面側から締め付け、固定するものである。
【００２２】  １３は前記雨量計設置台本体２の上面と前記支持基板８の下面との間における、前記雨量計の支持脚に連結する連結ボルト９の位置に配設した、該連結ボルト９の頭部が載る所定の厚みを有する弾性板である。また、該弾性板１３は、本実施形態ではゴム板を用いている。また、その他、図中１４は雨量計、１４Ａは該雨量計の支持脚、１４Ａ´は連結ボルト挿通孔である。
【００２３】  次に、本実施形態の作用について説明する。
組み立てるときには、先ず、雨量計設置台本体２を構成するタンクに、その充填口３から水又は砂（図示せず。）を充填する。次に、連結用Ｕボルト６を雨量計設置台本体２を構成するタンクの下側から穴５、５に挿通して立ち上がらせる。次に、該連結用Ｕボルト６の上端側を支持基板８に穿設した連結用Ｕボルトの挿通孔８Ａに挿通し、該支持基板８の上面側から該連結用Ｕボルト６の雄ねじに夫々ナット７、７を螺合し、締め付けるものである。これにより支持基板８に頭部を下にして垂直に固定される、雨量計の支持脚に連結する連結ボルト９は、雨量計設置台本体２の上部に垂直に固定されることになるものである。そして、この状態において連結ボルト９の上端部に上ナット１１と下ナット１２をもって雨量計１４の支持脚１４Ａを連結するものである。
【符号の説明】
【００２４】１  雨量計設置台
２  雨量計設置台本体
５、５  穴
６  連結用Ｕボルト
７、７  ナット
８  支持基板
８Ａ  連結用Ｕボルトの挿通孔
８Ｂ  連結ボルトの挿通孔
９  連結ボルト
１０  ナット
１１  上ナット
１２  下ナット
１３  弾性板
【図１】
0003204621.tif 000003
【図２】
0003204621.tif 000004
【図３】
0003204621.tif 000005
【図４】
0003204621.tif 000006
【図５】
0003204621.tif 000007
【図６】
0003204621.tif 000008